(57)【要約】【課題】データシンボルの復調に必要な情報を受信側で容易に推定でき、データシンボルを高精度に復調できる無線通信装置を提供する。【解決手段】既知情報を伝送するための複数のグループのいずれかに分類された複数のサブキャリアからなる少なくとも１つの既知シンボルを含み、同一アンテナから送信する２つのサブキャリアで伝送される既知情報のいずれか一方の位相の反転・非反転が、送信すべき情報に応じてグループ毎に制御された既知シンボル列を複数のアンテナを用いて送信し、既知シンボル列の送信後に複数のアンテナを用いてデータシンボルを送信する。【選択図】      図１
2006014234.tif 000002
【特許請求の範囲】
【請求項１】
複数のアンテナと、
既知情報を伝送するための複数のグループのいずれかに分類された複数のサブキャリアからなる少なくとも１つの既知シンボルを含み、同一アンテナから送信する２つのサブキャリアで伝送される既知情報のいずれか一方の位相の反転・非反転が、送信すべき情報に応じて前記グループ毎に制御された既知シンボル列を前記複数のアンテナを用いて送信する既知シンボル送信手段と、
前記既知シンボル列の送信後に前記複数のアンテナを用いてデータシンボルを送信するデータシンボル送信手段と、
を具備したことを特徴とする無線通信装置。
【請求項２】
前記送信すべき情報は、前記データシンボルの復調に用いる情報であることを特徴とする請求項１記載の無線通信装置。
【請求項３】
前記データシンボルの復調に用いる情報は、前記データシンボルを送信する際に用いる送信アンテナの数であることを特徴とする請求項２記載の無線通信装置。
【請求項４】
前記データシンボルの復調に用いる情報は、前記データシンボルの変調方式の種類を示す情報であることを特徴とする請求項２記載の無線通信装置。
【請求項５】
前記データシンボルの復調に用いる情報は、前記データシンボルの符号化方式の種類を示す情報であることを特徴とする請求項２記載の無線通信装置。
【請求項６】
前記データシンボルの復調に用いる情報は、前記データシンボルの符号化率であることを特徴とする請求項２記載の無線通信装置。
【請求項７】
前記データシンボルの復調に用いる情報は、前記データシンボルのシンボル数であることを特徴とする請求項２記載の無線通信装置。
【請求項８】
前記データシンボルの復調に用いる情報は、前記データシンボルに含まれる情報量であることを特徴とする請求項２記載の無線通信装置。
【請求項９】
前記同一アンテナから送信する２つのサブキャリアが隣接していることを特徴とする請求項１記載の無線通信装置。
【請求項１０】
前記既知シンボル列は、前記既知情報を伝送するサブキャリアが同一の複数の既知シンボルを含むことを特徴とする請求項１記載の無線通信装置。
【請求項１１】
前記既知シンボル列送信手段は、
前記既知情報を伝送するサブキャリアがそれぞれ異なる複数の既知シンボルパターンを格納した記憶手段と、
前記既知シンボルの送信されるべきタイミングを示すタイミング信号を発生するタイミング発生手段と、
前記タイミング信号に従って前記複数の既知シンボルパターンのなかから前記既知シンボルとして用いる既知シンボルパターンを選択する選択手段と、
前記送信すべき情報及び前記グループに応じてサブキャリアの位相の反転・非反転を制御する位相制御手段と、
を具備したことを特徴とする請求項１記載の無線通信装置。
【請求項１２】
前記グループの数を送信すべき情報の数に応じて決定することを特徴とする請求項１記載の無線通信装置。
【請求項１３】
複数のアンテナによって送信される、既知情報を伝送するための複数のグループのいずれかに分類された複数のサブキャリアよりなる少なくとも１つの既知シンボルを含み、データシンボルの復調に用いる情報を送信するために、同一アンテナから送信する２つのサブキャリアで伝送される既知情報のいずれか一方の位相の反転・非反転が前記グループ毎に制御された既知シンボル列及び該既知シンボル列より後の前記データシンボルを受信する受信手段と、
受信した既知シンボルから伝送路推定値を求める伝送路推定手段と、
前記受信した既知シンボルから求めた前記伝送路推定値のうち当該既知シンボルの前記２つのサブキャリアに対応する２つの伝送路推定値の間の相関値を前記グループ毎に求める手段と、
前記グループ毎に求められた相関値を基に、前記データシンボルの復調に用いる情報を再生する手段と、
を具備したことを特徴とする無線通信装置。
【請求項１４】
前記既知シンボル列は、前記既知情報を伝送するためのサブキャリアが同一である複数の既知シンボルを含み、
前記伝送路推定手段は、各既知シンボルの同一のサブキャリアで伝送される既知情報に対応する周波数波形を累積加算して、前記伝送路推定値を求めることを特徴とする請求項１３記載の無線通信装置。
【発明の詳細な説明】
【技術分野】
【０００１】
本発明は、複数のアンテナおよび複数のサブキャリアを用いて通信を行うＭＩＭＯ−ＯＦＤＭに属し、さらに高速無線ＬＡＮの技術に属する。
【背景技術】
【０００２】
従来の無線ＬＡＮ(802.11a)においては、データ信号の前に既知シンボル（ショートプリアンブル、ロングプリアンブル）を送信して同期処理や伝送路推定を行っており、これらのプリアンブルを用いることで、データ部分の復調を行うことができる。一方、周波数帯域幅を拡大せずに伝送速度を向上させる技術としてＭＩＭＯ（Multi-Input Multi-Output）が知られている。ＭＩＭＯは送受信機で複数のアンテナを用いるため、従来の無線ＬＡＮにＭＩＭＯを適用する場合は、ショートプリアンブルやロングプリアンブルの構成をＭＩＭＯ用に変更する必要がある。
【０００３】
非特許文献１で提案されたプリアンブル信号案によると、まず１つの送信アンテナから時間同期、周波数同期及びＡＧＣに用いるショートプリアンブル列、伝送路応答推定用のシンボルを含むロングプリアンブル、及びシグナルフィールドを送信した後、他の送信アンテナから伝送路応答推定用のロングプリアンブルを順に送信する。このようにしてプリアンブル信号の送信が終了した後に、複数の送信アンテナからデータを同時に送信する。すなわち、複数の送信アンテナから伝送路応答用のロングプリアンブルを時分割多重によって送信する。
【０００４】
ところで、ＭＩＭＯシステムでは受信信号を復調するために、送信アンテナ数、変調方式、符号化率などの情報を受信側で知る必要がある。受信側でこれらの情報を知る方法として、これらの情報を通知する専用の信号を送信する方式も考えられるが、この方法ではオーバヘッドが増加し、データ伝送のスループットが低下してしまう問題がある。一方、復調に必要な情報を受信信号から推定する場合、推定に失敗すると復調が不可能となるため、推定には高い精度が要求される。受信したプリアンブル信号を用いてこれらの情報を推定する方式も考えられるが、非特許文献１のプリアンブル信号は上記情報を推定することを前提としているものではなく、このプリアンブル信号を用いて高精度に推定することは困難である。
【非特許文献１】Jan Boer他２名“Backwards compatibility”、          ［online］、平成１５年９月、IEEE LMSC（発行元）、［平成１５年9月１５日検索］、インターネット＜URL:ftp://ieee:wireless@ftp.802wirelessworld.com/11/03/11-03-0714-00-000n-backwards-compatibility.ppt＞
【発明の開示】
【発明が解決しようとする課題】
【０００５】
このようにＭＩＭＯシステムにおいて、送信アンテナ数などの復調に必要な情報を受信信号から推定する場合、推定にはデータの復調以上の精度が要求されており、非特許文献１のプリアンブル信号を用いて高精度に推定することは困難であるという問題があった。一方、復調に必要な情報を送信する方式ではオーバヘッドの増加が否めないという問題があった。
【０００６】
そこで、本発明は上記問題点に鑑み、データシンボルの復調に必要な情報を通知する専用の信号を付加することなく、これらの情報を受信側で容易に推定可能とし、データシンボルの正しい復調を可能とすることにある。
【課題を解決するための手段】
【０００７】
（１）本発明の無線通信装置（送信機）は、複数のアンテナと、既知情報を伝送するための複数のグループのいずれかに分類された複数のサブキャリアからなる少なくとも１つの既知シンボルを含み、同一アンテナから送信する２つのサブキャリアで伝送される既知情報のいずれか一方の位相の反転・非反転が、送信すべき情報に応じて前記グループ毎に制御された既知シンボル列を前記複数のアンテナを用いて送信する既知シンボル送信手段と、前記既知シンボル列の送信後に前記複数のアンテナを用いてデータシンボルを送信するデータシンボル送信手段とを有する。
【０００８】
伝送路推定用の既知シンボルを周波数分割多重で伝送する場合に、サブキャリアを複数のグループのいずれかに分類し、送信すべき情報（既知シンボル列送信後に送信されるデータシンボルの復調に用いる情報（例えば、送信アンテナ数、データシンボルの変調方式の種類、データシンボルの符号化方式の種類、データシンボルの符号率、データシンボルのシンボル数、データシンボルに含まれる情報量など））に応じて、サブキャリアの位相をグループ毎に制御する構成とした。この構成により、受信側では復調に用いる情報を高精度で推定することが可能となる。
【０００９】
（１−２）同一アンテナから送信する２つのサブキャリアが隣接し、既知シンボル送信手段は、この隣接する２つのサブキャリアのいずれか一方で伝送される既知情報の位相の反転・非反転が、送信すべき情報に応じて、グループ毎に制御された既知シンボル列を複数のアンテナを用いて送信する。
【００１０】
隣接したサブキャリアでは伝送路の相関が高いため、受信側でこの隣接したサブキャリア間で相関値を計算した場合大きい値となる。その場合、既知シンボルを用いて通知された復調に用いる情報を高精度に推定できる。
【００１１】
（１−３）既知シンボル列が、既知情報を伝送するサブキャリアが同一の複数の既知シンボルを含むことにより、同じパターンの既知シンボルを繰り返して送信し受信側で累積加算することで、伝搬路の推定精度と復調に必要な情報の推定精度の両方を改善できる。
【００１２】
（２）本発明の無線通信装置（受信機）は、複数のアンテナによって送信される、既知情報を伝送するための複数のグループのいずれかに分類された複数のサブキャリアからなる少なくとも１つの既知シンボルを含み、データシンボルの復調に用いる情報を送信するために、同一アンテナから送信する２つのサブキャリアで伝送される既知情報のいずれか一方の位相の反転・非反転が前記グループ毎に制御された既知シンボル列及び該既知シンボル列より後の前記データシンボルを受信する受信手段と、受信した既知シンボルから伝送路推定値を求める伝送路推定手段と、前記受信した既知シンボルから求めた前記伝送路推定値のうち当該既知シンボルの前記２つのサブキャリアに対応する２つの伝送路推定値の間の相関値を前記グループ毎に求める手段と、前記グループ毎に求められた相関値を基に、前記データシンボルの復調に用いる情報を再生する手段とを有する。
【００１３】
（２−１）既知シンボル列は、既知情報を伝送するためのサブキャリアが同一である複数の既知シンボルを含み、伝送路推定手段は、各既知シンボルの同一のサブキャリアで伝送される既知情報に対応する周波数波形を累積加算して、伝送路推定値を求める。
【発明の効果】
【００１４】
本発明によれば、データシンボルの復調に必要な情報を受信側で容易に推定でき、もってデータシンボルを高精度に復調できる。
【発明を実施するための最良の形態】
【００１５】
以下、図面を参照しながら本実施の形態について詳細に説明する。
【００１６】
（第１の実施形態）  
まず、図１を用いて第１の実施形態に係る送信機について説明する。図１は送信機の物理層であり、ここに上位層から送信すべきデータ（ビット列）１０がある送信単位（例えば、フレームもしくはパケット）毎に入力される。入力されるデータ１０は、符号化器１１により例えば誤り訂正符号化が施され、符号化ビット系列が生成される。符号化ビット系列は、直並列変換器（Ｓ／Ｐ）１２によって直並列変換されることにより、複数のストリームに分割される。各ストリームは変調器１３−１〜１３−Ｍによって複素平面上にマッピングされ、変調されたデータシンボルが生成される。変調されたデータシンボルは、ＯＦＤＭ（直交周波数分割多重）の各サブキャリアに乗せて伝送されるように、直並列変換器（Ｓ／Ｐ）１４−１〜１４Ｍによって直並列変換され、さらに逆高速フーリエ変換部（ＩＦＦＴ）１９−１〜１９−Ｍにより周波数軸上の信号から時間波形に変換される。ＩＦＦＴ部１９−１〜１９−Ｍからは時間波形に変換された信号が出力されて、送信回路２０に入力される。送信回路２０では、ＩＦＦＴ部１９−１〜１９−Ｍの出力信号に対しガードインターバル（ＧＩ）を付加した後、Ｄ／Ａ変換器によってアナログ信号に変換する。Ｄ／Ａ変換器の出力信号は、周波数変換器によってＲＦ（高周波）帯に周波数変換（アップコンバート）され、電力増幅器を介して送信アンテナ２１−１〜２１−Ｍに供給されることにより、送信アンテナ２１−１〜２１−Ｍから通信相手の無線通信装置へＯＦＤＭ信号が送信される。
【００１７】
このようにしてデータシンボルがＯＦＤＭ信号として送信される前に、プリアンブルが送信される。以下、プリアンブルの特に伝送路推定用の既知シンボルの送信系について説明する。
【００１８】
既知シンボルパターン発生器１５は例えばＲＯＭであり、複数の既知シンボルパターンを格納している。既知シンボルは、それぞれＯＦＤＭの予め割り当てられた複数のサブキャリアの幾つかに情報が乗せられて送信される。既知シンボルパターンとは、既知シンボルの情報をどのサブキャリアに乗せるかを示すパターンである。既知シンボルパターン発生器１５のＲＯＭには周波数軸上の既知シンボルパターンが格納されている。
【００１９】
既知シンボルの送信時には、既知シンボルパターン発生器１５のＲＯＭに格納された複数の既知シンボルパターンが送信されるタイミングで順次読み出され、セレクタ１６に入力される。セレクタ１６は、既知シンボルの送信タイミングに合わせて、既知シンボル発生器１５のＲＯＭから読み出された既知シンボルの各既知情報を適切な送信アンテナから送信するように各アンテナに対応する位相制御器１８−１〜１８−Ｍに振り分ける操作を行う。
【００２０】
なお、無線ＬＡＮのプリアンブルに含まれるショートプリアンブルとロングプリアンブルのように複数種類の既知シンボルが存在する場合、セレクタ１６は、これら複数種類の既知シンボルをＲＯＭを切り替えて読み出す。
【００２１】
グループ情報発生器１７は、位相制御器１８−１〜１８−Ｍに入力された各サブキャリアが属するグループ情報を格納しており、位相制御器１８−１〜１８−Ｍにその情報を出力している。このグループ情報発生器１７が格納しているグループ情報については後述する。
【００２２】
位相制御器１８−１〜１８−Ｍに入力された各サブキャリアの既知情報の位相は、グループ単位に、既知シンボルを用いて受信側に通知する情報（本実施形態では送信に用いられるアンテナ数）に応じて反転・非反転制御され、ＩＦＦＴ部１９−１〜１９−Ｍに入力される。その後、ＩＦＦＴ部１９−１〜１９−Ｍの出力信号は送信回路２０に導かれる。
【００２３】
グループ情報発生器１７はセレクタ１６から出力された各サブキャリアが属するグループ情報として、図５に示すようなテーブルを予め記憶している。図５のＧ（ｎ）はｎ番目のサブキャリアのグループ番号を示しており、グループの総数をＮｇとすると１〜Ｎｇのいずれかの数となる。グループの総数Ｎｇは受信側に通知したい情報（本実施形態では送信アンテナ数）のパターン数Ｎｐにより決定される数であり、次式を満たす。
【００２４】
Ｎｇ−１＜ｌｏｇ２（Ｎｐ）≦Ｎｇ                            …（１）
例えば、送信アンテナ数として「１」、「２」、「３」、「４」という４パターンを受信側へ通知する場合や、「１」、「２」、「３」という３パターンを受信側へ通知する場合には、上記（１）式から２グループあればよいことになる。
【００２５】
一方、後述する受信機においては、各送信アンテナから同時に送信される既知シンボルを受け取った時点で、各サブキャリアに対応する伝送路推定値を求めつつ、送信アンテナ数を推定することが可能となる。
【００２６】
次に、図２を用いて伝送路推定用の既知シンボルの送信方法の一例を詳しく説明する。
【００２７】
図２（ａ）（ｂ）（ｃ）は、既知シンボルを同時に送信するアンテナの数が「１」の場合、「２」の場合及び「３」の場合に、プリアンブルを含む無線フレームの構造を示している。なお、この例においては、送信アンテナ数は最大「３」であるため、グループの総数Ｎｇは式（１）よりＮｇ＝２となる。
【００２８】
図２に示すように、第１の実施形態では、無線ＬＡＮのようにデータフィールドＤＡＴＡに先立って同期用のショートプリアンブルＳＰ、伝送路推定用のロングプリアンブルＬＰを送信するシステムを仮定している。ここで、ショートプリアンブルＳＰの構成は特に限定されるものではなく、例えばＩＥＥＥ８０２．１１ａと同様のものを複数の送信アンテナから送信してもよい。既知シンボルは、ＭＩＭＯ通信の際に伝送路応答の推定に用いられ、無線ＬＡＮでは図２（ａ）（ｂ）（ｃ）中のロングプリアンブルＬＰに相当する。
【００２９】
図２（ａ）（ｂ）（ｃ）では、各送信アンテナから送信されるロングプリアンブルＬＰが周波数分割多重されている。ここで、送信アンテナの数をＭ、ＯＦＤＭのサブキャリアの数をＮとし、Ｎ／２Ｍが余りなく割り切れるとした場合、次式（２）及び（３）のサブキャリア（Ｎ個のサブキャリアの番号を０番目からＮ−１番目と定義する）に既知シンボルの情報が存在し、他のサブキャリアには情報が存在しない。
【００３０】
２（Ｍｌ＋ｍ−１）ｍｏｄ  Ｎ                        …（２）
｛２（Ｍｌ＋ｍ−１）＋１｝ｍｏｄ  Ｎ                  …（３）
ここで、ｍ＝１，２，…、Ｍはアンテナ番号であり、ｌ＝０，１，…，（Ｎ／２Ｍ−１）である。さらにｎ番目のサブキャリアが属するグループ番号は
ｎ ＜ Ｎ／２なら      Ｇ（ｎ）＝１                  …（４）
ｎ ≧ Ｎ／２なら      Ｇ（ｎ）＝２                  …（５）
で与えられる。また、図２（ａ）に示す、アンテナ数が「１」の場合の既知シンボルがn番目のサブキャリアに乗せている情報値をＬ１（ｎ）とすると、アンテナ数がＭ（≧２）の場合の既知シンボルがｍ番目のアンテナのｎ番目のサブキャリアに乗せている情報値  ＬM（ｎ）は式（６）〜（８）で与えられる。
【００３１】
Ｍ＝２かつＧ（ｎ）＝１かつｎが偶数ならば  ＬM（ｎ）＝−Ｌ１（ｎ）  …（６）
Ｍ＝３かつＧ（ｎ）＝２かつｎが偶数ならば  ＬM（ｎ）＝−Ｌ１（ｎ）  …（７）
上記以外ならば  ＬM（ｎ）＝Ｌ１（ｎ）                              …（８）
例えば、図２（ａ）（アンテナ数Ｍが「１」）の場合は、アンテナ１から送信される１つの既知シンボルにおいて情報が存在するサブキャリアの番号、そのサブキャリアのグループ番号、そのサブキャリアに乗せている情報値の組み合わせは以下の通りとなる。
【００３２】
アンテナ１の既知シンボル：サブキャリア番号｛０，１，２，３，４，５，６，７，８，９，１０，１１｝、グループ番号｛１，１，１，１，１，１，２，２，２，２，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【００３３】
図２（ｂ）（アンテナ数Ｍが「２」）の場合は、式（２）〜（８）よりアンテナ１、２からそれぞれ送信される既知シンボルにおいて情報が存在するサブキャリアの番号、そのサブキャリアのグループ番号、そのサブキャリアに乗せている情報値の組み合わせは以下の通りとなる。
【００３４】
アンテナ１の既知シンボル：サブキャリア番号｛０，１，４，５，８，９｝、グループ番号｛１，１，１，１，２，２｝、情報値｛−Ｌ１（０），Ｌ１（１），−Ｌ１（４），Ｌ１（５），Ｌ１（８），Ｌ１（９）｝。
【００３５】
アンテナ２の既知シンボル：サブキャリア番号｛２，３，６，７，１０，１１｝、グループ番号｛１，１，２，２，２，２｝、情報値｛−Ｌ１（２），Ｌ１（３），Ｌ１（６），Ｌ１（７），Ｌ１（１０），Ｌ１（１１）｝。
【００３６】
図２（ｃ）（アンテナ数Ｍが「３」）の場合は、式（２）〜（８）よりアンテナ１、２、３からそれぞれ送信される既知シンボルにおいて情報が存在するサブキャリアの番号、そのサブキャリアのグループ番号、そのサブキャリアに乗せている情報値の組み合わせは以下の通りとなる。
【００３７】
アンテナ１の既知シンボル：サブキャリア番号｛０，１，６，７｝、グループ番号｛１，１，２，２｝、情報値｛Ｌ１（０），Ｌ１（１），−Ｌ１（６），Ｌ１（７）｝。
【００３８】
アンテナ２の既知シンボル：サブキャリア番号｛２，３，８，９｝、グループ番号｛１，１，２，２｝、情報値｛Ｌ１（２），Ｌ１（３），−Ｌ１（８），Ｌ１（９）｝。
【００３９】
アンテナ３の既知シンボル：サブキャリア番号｛４，５，１０，１１｝、グループ番号｛１，１，２，２｝、情報値｛Ｌ１（４），Ｌ１（５），−Ｌ１（１０），Ｌ１（１１）｝。
【００４０】
なお、図２（ａ）（ｂ）（ｃ）においては、プリアンブルの構造は時間的に表されているが、便宜上、ロングプリアンブルＬＰについては、情報が存在するサブキャリアを斜線とドットで表している。図中のドットで示したサブキャリアは式（６）（７）により位相を反転させた情報が挿入されているサブキャリアを表しており、各サブキャリアの上部にそのサブキャリアが属するグループ番号を記している。
【００４１】
図２（ａ）（ｂ）（ｃ）に示すように、第１の実施形態に係る既知シンボルは、受信側に通知したい情報（例えば送信アンテナ数）に応じて、既知シンボルにおける隣接する２つのサブキャリアのどちらか一方の位相をそのサブキャリアが属するグループ毎に反転・非反転制御されていることを特徴としている。
【００４２】
グループ数を上記（１）式に従って求めると、各グループについて、隣接する２つのサブキャリアのどちらか一方の位相を反転させるグループとするか、隣接する２つのサブキャリアのいずれも位相を反転させないグループとするかを定めたパターンは、受信側に通知し得る情報の数だけ得られる。各パターンには、受信側に通知する情報が予め対応付けられている。すなわち、図２（ａ）に示すパターンは、送信アンテナ数が「１」という情報が対応付けられており、図２（ｂ）に示すパターンは、送信アンテナ数が「２」という情報が対応付けられており、図２（ｃ）に示すパターンは、アンテナ数が「３」という情報が対応付けられている。
【００４３】
送信側では、セレクタ１６は、既知シンボルパターン発生器（ＲＯＭ）１５から、既知シンボルに含まれる各既知情報をどのサブキャリアで伝送するかを定めた既知シンボルパターン（既知情報のサブキャリアへの割当）を１つ読み出して、各既知情報を既知シンボルの送信タイミングに合わせて、各既知情報を適切な送信アンテナから送信するように各アンテナに対応する位相制御器１８−１〜１８−Ｍに振り分ける。
【００４４】
位相制御器１８−１〜１８−Ｍは、受信側に通知したい（データシンボルを復号する際に用いる）情報に対応するパターンを用いて、当該パターンにより隣接する２つのサブキャリアのどちらか一方の位相を反転させるグループであると定められているグループに属するサブキャリア群については、隣接する２つのサブキャリアのどちらか一方の位相を反転させ、当該パターンにより隣接する２つのサブキャリアのいずれも位相を反転させないグループであると定められているグループに属するサブキャリア群については、位相反転を行わないよう、サブキャリアの反転・非反転を制御するようになっている。
【００４５】
なお、図２（ａ）（ｂ）（ｃ）では送信アンテナの最大数Ｍｍａｘが「３」である場合の例を示したが、Ｍｍａｘが「４」以上場合においても拡張可能である。この場合、送信アンテナ数のパターンはＭｍａｘ個になるため、式（１）にＮｐ＝Ｍｍａｘを代入した式を満たすグループ数Ｎｇだけサブキャリアのグループ分けを行い、実際に送信するアンテナ数に応じて、既知シンボルにおける隣接する２つのサブキャリアのどちらか一方の位相をグループ毎に反転・非反転制御すればよい。
【００４６】
また、図２（ａ）（ｂ）（ｃ）では受信側に通知する既知情報が送信アンテナ数である場合の例を示したが、この通知する情報は送信アンテナ数に限定されるものではなく、データフィールドの変調方式の種類、符号化方式の種類、符号化率、シンボル数、情報ビット数などの情報やこれらの組み合わせでもかまわない。その場合、通知したい情報のパターン数（種類の数）に応じて式（１）の数だけサブキャリアのグループ分けを行い、実際に通知する情報に応じて、既知シンボルにおける隣接する２つのサブキャリアのどちらか一方の位相をグループ毎に反転制御すればよい。
【００４７】
次に、図３を用いて本発明の第１の実施形態に係る受信機について説明する。図３において、図１の送信機から送信されるＲＦ（Radio Frequency）帯のＯＦＤＭ信号は複数の受信アンテナ３０−１〜３０−Ｍにより受信される。受信アンテナ３０−１〜３０−ＭからのＯＦＤＭ受信信号は、受信回路３１に入力される。受信アンテナ３０−１〜３０−Ｍから入力されるＯＦＤＭ信号は、受信回路３１において、それぞれ低雑音増幅器（ＬＮＡ）により増幅された後、周波数変換器によりベースバンド帯に周波数変換（ダウンコンバート）され、さらにＡ／Ｄ変換器によってディジタル信号に変換され、さらにガードインターバル（ＧＩ）が除去される。
【００４８】
受信回路３１からの出力信号は、高速フーリエ変換部（ＦＦＴ）３２−１〜３２−Ｍに入力されることにより、時間波形の信号が周波数波形の信号、すなわちサブキャリアごとの波形に変換される。ＦＦＴユニット３２−１〜３２−Ｍからの出力信号のうち、データシンボルの区間の信号はＭＩＭＯ信号処理器４０に入力される。
【００４９】
一方、ＦＦＴユニット３２−１〜３２−Ｍからの出力信号のうち、プリアンブル、特に既知シンボルの区間の信号は除算器３３−１〜３３−Ｍに入力される。除算器に入力されたサブキャリアごとの波形はＲＯＭ３４に格納された既知シンボルで除算されることで伝送路特性の推定値に変換される。伝送路特性の推定値は、メモリ３９−１〜３９−Ｍへ格納されるとともに、相関器３５−１〜３５−Ｍへ入力される。
【００５０】
ＲＯＭ３４に格納された既知シンボルは図２（ａ）（アンテナ数Ｍが「１」）の場合の周波数軸上の既知シンボルと同一のものである。
【００５１】
相関器３５−１〜３５−Ｍでは、グループ情報発生器３６からのサブキャリアのグループ情報を基に、伝送路特性の推定値についてグループ毎に相関値を計算し、算出したグループ毎の相関値を判定器３７に入力する。グループ情報発生器３６は図１のグループ情報発生器１７と同様の構成となっており、各サブキャリアが属するグループ情報を相関器３５−１〜３５−Ｍに出力している。判定器３７では入力された相関値が正値であるか、もしくは負値であるかの判定をグループ毎に行い、その結果を送信アンテナ数判定部３８に出力する。送信アンテナ数判定部３８では、各グループの相関値の組み合わせを基に送信アンテナ数を決定し、送信アンテナ数をＭＩＭＯ受信部４０に出力する。以上の送信アンテナ数推定のアルゴリズムについては、詳細な説明を後述する。
【００５２】
ＭＩＭＯ信号処理部４０では、ＦＦＴユニット３２−１〜３２−Ｍからのデータシンボル区間の信号に対して、メモリ３９−１〜３９−Ｍからの伝送路推定値と送信アンテナ数判定部３８からの送信アンテナ数に従って例えば最尤推定のようなＭＩＭＯ信号受信処理がなされる。ＭＩＭＯ信号受信処理後の信号に対してチャネル復号が行われ、これによって送信されてきたデータ４１が再生される。
【００５３】
ここで、ｊ番目の受信アンテナにおいて受信された既知シンボルのｎ番目のサブキャリア信号をＸｊ（ｎ）とする。このサブキャリアの伝送路特性の推定値（除算器の出力信号）Ａｊ（ｎ）は式（９）で与えられる。
【００５４】
Ａｊ（ｎ）＝Ｘｊ（ｎ）／Ｌ１（ｎ）                  …（９）
このサブキャリアの実際の伝送路特性値をｈｊ（ｎ）、雑音信号をＮｊ（ｎ）とすると、Ｘｊ（ｎ）は、
Ｘｊ（ｎ）＝ｈｊ（ｎ）・ＬM（ｎ）＋Ｎｊ（ｎ）
と表現できるため、式（９）は式（１０）で表現できる。
【００５５】
Ａｊ（ｎ）
＝ｈｊ（ｎ）ＬM（ｎ）／Ｌ１（ｎ）＋Ｎｊ（ｎ）／Ｌ１（ｎ）…（１０）
説明を簡単にするため、雑音が付加されない理想的な環境（Ｎｊ（ｎ）＝０）を仮定すると式（１０）は式（１１）で簡略化できる。
【００５６】
Ａｊ（ｎ）＝ｈｊ（ｎ）ＬM（ｎ）／Ｌ１（ｎ）        …（１１）
同一のアンテナから送信された隣接するサブキャリア間では伝送路の影響はほぼ同じ、すなわち、同一アンテナから送信される隣接するサブキャリアの伝送路特性は高い正の相関値を持つとすると、全ての受信アンテナにおいて以下のような伝送路特性Ａｊ（ｎ）が求まることが予想される。
【００５７】
＜送信アンテナ数が「１」の場合＞
グループ番号「１」に対応するサブキャリアでは、ＬM（ｎ）＝Ｌ１（ｎ）であるため、式（１１）からＡｊ（ｎ）＝ｈｊ（ｎ）となる。グループ番号「１」に属するすべてのサブキャリアは同一のアンテナから送信されているので、偶数番目のサブキャリアの伝送路特性の推定値Ａｊ（ｎ）とその次の番号の隣接サブキャリアの伝搬路特性の推定値Ａｊ（ｎ＋１）は高い正の相関を持つ。
【００５８】
グループ番号「２」についても上記と同様であり、偶数番目のサブキャリアの伝送路特性の推定値Ａｊ（ｎ）とその次の番号の隣接サブキャリアの伝搬路特性の推定値Ａｊ（ｎ＋１）は高い正の相関を持つ。
【００５９】
＜送信アンテナ数が「２」の場合＞
グループ番号「１」に対応するサブキャリアでは、式（６）より偶数番目のサブキャリアについてＬM（ｎ）＝−Ｌ１（ｎ）となるため、式（１１）からＡｊ（ｎ）＝−ｈｊ（ｎ）という実際の伝送路特性に比べ位相が反転した特性となる。一方、奇数番目のサブキャリアについては、式（８）よりＬM（ｎ）＝Ｌ１（ｎ）となるため、式（１１）からＡｊ（ｎ）＝ｈｊ（ｎ）となる。偶数番目のサブキャリアとその次の番号の隣接サブキャリアは同一アンテナから送信されているので、偶数番目のサブキャリアの伝送路特性の推定値Ａｊ（ｎ）とその次の番号のサブキャリアの伝送路特性の推定値Ａｊ（ｎ＋１）は高い相関を持つが、Ａｊ（ｎ）は奇数番目のサブキャリアであり、実際の伝送路とは位相を反転した特性が求まっているため、高い負の相関を持つ。
【００６０】
グループ番号「２」に対応するサブキャリアでは、式（８）より偶数番目のサブキャリアについてＬM（ｎ）＝Ｌ１（ｎ）となるため、式（１１）からＡｊ（ｎ）＝ｈｊ（ｎ）となる。一方、奇数番目のサブキャリアについても同様に、式（８）よりＬM（ｎ）＝Ｌ１（ｎ）となるため、式（１１）からＡｊ（ｎ）＝ｈｊ（ｎ）となる。偶数番目のサブキャリアとその次の番号の隣接サブキャリアは同一アンテナから送信されているので、偶数番目のサブキャリアの伝送路特性の推定値Ａｊ（ｎ）とその次の番号のサブキャリアの伝送路特性の推定値Ａｊ（ｎ＋１）は高い正の相関を持つ。
【００６１】
＜送信アンテナ数が「３」の場合＞
グループ番号「１」に対応するサブキャリアでは、式（８）より偶数番目のサブキャリアについてＬM（ｎ）＝Ｌ１（ｎ）となるため、式（１１）からＡｊ（ｎ）＝ｈｊ（ｎ）となる。一方、奇数番目のサブキャリアについても同様に、式（８）よりＬM（ｎ）＝Ｌ１（ｎ）となるため、式（１１）からＡｊ（ｎ）＝ｈｊ（ｎ）となる。偶数番目のサブキャリアとその次の番号の隣接サブキャリアは同一アンテナから送信されているので、偶数番目のサブキャリアの伝送路特性の推定値Ａｊ（ｎ）とその次の番号のサブキャリアの伝送路特性の推定値Ａｊ（ｎ＋１）は高い正の相関を持つ。
【００６２】
グループ番号「２」に対応するサブキャリアでは、式（７）より偶数番目のサブキャリアについてＬM（ｎ）＝−Ｌ１（ｎ）となるため、式（１１）からＡｊ（ｎ）＝−ｈｊ（ｎ）という実際の伝送路特性に比べ位相が反転した特性となる。一方、奇数番目のサブキャリアについては、式（８）よりＬM（ｎ）＝Ｌ１（ｎ）となるため、式（１１）からＡｊ（ｎ）＝ｈｊ（ｎ）となる。偶数番目のサブキャリアとその次の番号の隣接サブキャリアは同一アンテナから送信されているので、偶数番目のサブキャリアの伝送路特性の推定値Ａｊ（ｎ）とその次の番号のサブキャリアの伝送路特性の推定値Ａｊ（ｎ＋１）は高い相関を持つが、Ａｊ（ｎ）は奇数番目のサブキャリアであり、実際の伝送路とは位相を反転した特性が求まっているため、高い負の相関を持つ。
【００６３】
以上のことから分かるように、グループ「１」とグループ「２」の相関値の符号の組み合わせがそれぞれ｛正、正｝であるときは送信アンテナ１本、｛負、正｝であるときは送信アンテナ２本、｛正、負｝であるときは送信アンテナ数３本であると判定できる。
【００６４】
以下、図４に示すフローチャートを参照して、図３の受信機における送信アンテナ数推定手順のアルゴリズムの詳細について説明する。まず、ｊ番目アンテナで受信した既知シンボルの周波数波形を除算器３０−ｊに入力する（ステップＳ１、ステップＳ２）。除算器３３−ｊに入力されたサブキャリアごとの波形はＲＯＭ３４に格納された既知シンボルで除算することにより伝送路特性の推定値を求める。サブキャリア毎の伝送路特性の推定値は、メモリ３９−ｊへ格納され、さらに、相関器３５−ｊへ出力される（ステップＳ３）。
【００６５】
相関器３５−ｊは、サブキャリアのグループ毎に偶数番目のサブキャリアの伝送路特性の推定値と奇数番目のサブキャリアの伝送路特性の相関値を求める。グループ番号ｋのサブキャリアにおける相関値Ｚｋは以下のように定義される。
【００６６】
Ｚｋ＝Ａｊ（Ｎｋ）＊Ａｊ（Ｎｋ＋１）＋Ａｊ（Ｎｋ＋２）＊Ａｊ（Ｎｋ＋３）＋…＋Ａｊ（Ｎｋ＋Ｎ／２−２）＊Ａｊ（Ｎｋ＋Ｎ／２−１）
但し、ａ＊ｂはｂの複素共役をａに乗算する演算である。また、Ｎｋ＝Ｎ・（ｋ−１）／２である。
【００６７】
相関器３５−１〜３５−Ｍで算出された各受信アンテナの相関値はグループ毎に加算され、判定器３７において合計後の各グループの相関値が正であるか、もしくは負であるかの判定が行われる。送信アンテナ数判定部３８では、図６に示すような正負判定後の各グループの相関値の組み合わせと送信アンテナ数の対応表を保持しており、判定器３７から入力された判定後の各グループの相関値とその対応表を基に送信アンテナ数を決定する（ステップＳ４）。この例では、判定器３７から入力された判定後の各グループ相関値の組み合わせが｛正、正｝である場合アンテナ数が「１」（ステップＳ５）、｛負、正｝である場合アンテナ数が「２」（ステップＳ６）、｛正、負｝である場合アンテナ数が「３」（ステップＳ７）であると判定する。ＭＩＭＯ信号処理部４０は、こうして推定された送信アンテナ数を用いてデータシンボルの再生を行う。
【００６８】
なお、図３、４では送信側から既知シンボルを用いて通知された情報が送信アンテナ数である場合の受信器構成と推定法の例を示したが、この受信器構成と推定法は通知情報が送信アンテナ数である場合に限定されるものではなく、通知情報がデータフィールド（データシンボル）の変調方式の種類、符号化方式の種類、符号化率、シンボル数、情報ビット数（情報量）等である場合についても、図３の送信アンテナ数判定部３８が通知情報に対応する判定部に変更になることを除いて、同様の構成と推定法を用いることが可能である。
【００６９】
以上述べたように、上記第１の実施形態によれば、送信アンテナ数などデータ信号部の復調に必要な情報を通知する信号を別途送信することなく、既知シンボルを用いて、アンテナ毎の伝送路推定を行いながら、復調に必要な情報を推定することが可能である。
【００７０】
（第２の実施形態）  
次に、図７を参照して第２の実施形態に係る伝送路推定用の既知シンボルの送信方法について説明する。図７（ａ）（ｂ）（ｃ）は、既知シンボルを同時に送信するアンテナの数が「１」の場合、「２」の場合及び「３」の場合のプリアンブルを含む無線フレームの構造を示している。
【００７１】
図７（ａ）（アンテナ数Ｍが「１」）の場合は、アンテナ１から送信される１つの既知シンボルにおいて情報が存在するサブキャリアの番号、そのサブキャリアのグループ番号、そのサブキャリアに乗せている情報値の組み合わせは以下の通りとなる。
【００７２】
アンテナ１の既知シンボル：サブキャリア番号｛０，１，２，３，４，５，６，７，８，９，１０，１１｝、グループ番号｛１，１，１，１，１，１，２，２，２，２，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【００７３】
図７（ｂ）（アンテナ数Ｍが「２」）の場合は、アンテナ１、２からそれぞれ送信される既知シンボルにおいて情報が存在するサブキャリアの番号、そのサブキャリアのグループ番号、そのサブキャリアに乗せている情報値の組み合わせは以下の通りとなる。
【００７４】
アンテナ１の既知シンボル：サブキャリア番号｛０，１，２，３，４，５｝、グループ番号｛１，１，１，１，１，１｝、情報値｛−Ｌ１（０），Ｌ１（１），−Ｌ１（２），−Ｌ１（３），Ｌ１（４），−Ｌ１（５）｝。
【００７５】
アンテナ２の既知シンボル：サブキャリア番号｛６，７，８，９，１０，１１｝、グループ番号｛２，２，２，２，２，２｝、情報値｛Ｌ１（６），Ｌ１（７），Ｌ１（８），Ｌ１（９），Ｌ１（１０），Ｌ１（１１）｝。
【００７６】
図７（ｃ）（アンテナ数Ｍが「３」）の場合は、アンテナ１、２、３からそれぞれ送信される既知シンボルにおいて情報が存在するサブキャリアの番号、そのサブキャリアのグループ番号、そのサブキャリアに乗せている情報値の組み合わせは以下の通りとなる。
【００７７】
アンテナ１の既知シンボル：サブキャリア番号｛０，１，２，３｝、グループ番号｛１，１，１，１｝、情報値｛Ｌ１（０），Ｌ１（１），Ｌ１（２），Ｌ１（３）｝。
【００７８】
アンテナ２の既知シンボル：サブキャリア番号｛４，５，６，７｝、グループ番号｛１，１，２，２｝、情報値｛Ｌ１（４），Ｌ１（５），−Ｌ１（６），Ｌ１（７）｝。
【００７９】
アンテナ３の既知シンボル：サブキャリア番号｛８，９，１０，１１｝、グループ番号｛２，２，２，２｝、情報値｛−Ｌ１（８），Ｌ１（９），−Ｌ１（１０），Ｌ１（１１）｝。
【００８０】
なお、図７（ａ）（ｂ）（ｃ）においては、プリアンブルの構造は時間的に表されているが、便宜上、ロングプリアンブルＬＰについては、情報が存在するサブキャリアを斜線とドットで表している。図中のドットで示したサブキャリアは位相を反転させた情報が挿入されているサブキャリアを表しており、各サブキャリアの上部にそのサブキャリアが属するグループ番号を記している。
【００８１】
図７（ａ）（ｂ）（ｃ）に示すように、前述の第１の実施形態と同様、第２の実施形態に係る既知シンボルは、受信側に通知したい情報（例えば送信アンテナ数）に応じて、既知シンボルにおける隣接する２つのサブキャリアのどちらか一方の位相をそのサブキャリアが属するグループ毎に反転・非反転制御されていることを特徴とする。そのため、前述の第１の実施形態と同様、図３の受信機を用いることで送信アンテナ数を推定することが可能である。
【００８２】
なお、図７（ａ）（ｂ）（ｃ）では送信アンテナの最大数Ｍｍａｘが「３」である場合の例を示したが、Ｍｍａｘが「４」以上場合においても拡張可能である。この場合、送信アンテナ数のパターンはＭｍａｘ個になるため、式（１）にＮｐ＝Ｍｍａｘを代入した式を満たすグループ数Ｎｇだけサブキャリアのグループ分けを行い、実際に送信するアンテナ数に応じて、既知シンボルにおける隣接する２つのサブキャリアのどちらか一方の位相をグループ毎に反転制御すればよい。
【００８３】
また、図７（ａ）（ｂ）（ｃ）では受信側に通知する既知情報が送信アンテナ数である場合の例を示したが、この通知する情報は送信アンテナ数に限定されるものではなく、データフィールドの変調方式、符号化方式、符号化率、シンボル数、情報ビット数などの情報やこれらの組み合わせでもかまわない。その場合、通知したい情報のパターン数に応じて式（１）の数だけサブキャリアのグループ分けを行い、実際に通知する情報に応じて、既知シンボルにおける隣接する２つのサブキャリアのどちらか一方の位相をグループ毎に反転制御すればよい。
【００８４】
（第３の実施形態）  
次に、図８を参照して第３の実施形態に係る伝送路推定用の既知シンボルの送信方法について説明する。図８（ａ）（ｂ）（ｃ）は、既知シンボルを同時に送信するアンテナの数が「１」の場合、「２」の場合及び「３」の場合のプリアンブルを含む無線フレームの構造を示している。
【００８５】
図８（ａ）（アンテナ数Ｍが「１」）の場合は、アンテナ１から送信される１つの既知シンボルにおいて情報が存在するサブキャリアの番号、そのサブキャリアのグループ番号、そのサブキャリアに乗せている情報値の組み合わせは以下の通りとなる。
【００８６】
アンテナ１の既知シンボル：サブキャリア番号｛０，１，２，３，４，５，６，７，８，９，１０，１１｝、グループ番号｛１，１，２，２，１，１，２，２，１，１，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【００８７】
図８（ｂ）（アンテナ数Ｍが「２」）の場合は、アンテナ１、２からそれぞれ送信される既知シンボルにおいて情報が存在するサブキャリアの番号、そのサブキャリアのグループ番号、そのサブキャリアに乗せている情報値の組み合わせは以下の通りとなる。
【００８８】
アンテナ１の既知シンボル：サブキャリア番号｛０，１，２，３，４，５｝、グループ番号｛１，１，２，２，１，１｝、情報値｛−Ｌ１（０），Ｌ１（１），Ｌ１（２），Ｌ１（３），−Ｌ１（４），Ｌ１（５）｝。
【００８９】
アンテナ２の既知シンボル：サブキャリア番号｛６，７，８，９，１０，１１｝、グループ番号｛２，２，１，１，２，２｝、情報値｛Ｌ１（６），Ｌ１（７），−Ｌ１（８），Ｌ１（９），Ｌ１（１０），Ｌ１（１１）｝。
【００９０】
図８（ｃ）（アンテナ数Ｍが「３」）の場合は、アンテナ１、２、３からそれぞれ送信される既知シンボルにおいて情報が存在するサブキャリアの番号、そのサブキャリアのグループ番号、そのサブキャリアに乗せている情報値の組み合わせは以下の通りとなる。
【００９１】
アンテナ１の既知シンボル：サブキャリア番号｛０，１，２，３｝、グループ番号｛１，１，２，２｝、情報値｛Ｌ１（０），Ｌ１（１），−Ｌ１（２），Ｌ１（３）｝。
【００９２】
アンテナ２の既知シンボル：サブキャリア番号｛４，５，６，７｝、グループ番号｛１，１，２，２｝、情報値｛Ｌ１（４），Ｌ１（５），−Ｌ１（６），Ｌ１（７）｝。
【００９３】
アンテナ３の既知シンボル：サブキャリア番号｛８，９，１０，１１｝、グループ番号｛１，１，２，２｝、情報値｛Ｌ１（８），Ｌ１（９），−Ｌ１（１０），Ｌ１（１１）｝。
【００９４】
なお、図８（ａ）（ｂ）（ｃ）においては、プリアンブルの構造は時間的に表されているが、便宜上、ロングプリアンブルＬＰについては、情報が存在するサブキャリアを斜線とドットで表している。図中のドットで示したサブキャリアは位相を反転させた情報が挿入されているサブキャリアを表しており、各サブキャリアの上部にそのサブキャリアが属するグループ番号を記している。
【００９５】
図８（ａ）（ｂ）（ｃ）に示すように、前述の第１の実施形態及び第２の実施形態と同様、第３の実施形態に係る既知シンボルは、受信側に通知したい情報（例えば送信アンテナ数）に応じて、既知シンボルにおける隣接する２つのサブキャリアのどちらか一方の位相をそのサブキャリアが属するグループ毎に反転・非反転制御されていることを特徴とする。そのため、前述の第１の実施形態及び第２の実施形態と同様、図３の受信機を用いることで送信アンテナ数を推定することが可能である。
【００９６】
なお、図８（ａ）（ｂ）（ｃ）では送信アンテナの最大数Ｍｍａｘが「３」である場合の例を示したが、Ｍｍａｘが「４」以上場合においても拡張可能である。この場合、送信アンテナ数のパターンはＭｍａｘ個になるため、式（１）にＮｐ＝Ｍｍａｘを代入した式を満たすグループ数Ｎｇだけサブキャリアのグループ分けを行い、実際に送信するアンテナ数に応じて、既知シンボルにおける隣接する２つのサブキャリアのどちらか一方の位相をグループ毎に反転・非反転制御すればよい。
【００９７】
また、図８（ａ）（ｂ）（ｃ）では受信側に通知する既知情報が送信アンテナ数である場合の例を示したが、この通知する情報は送信アンテナ数に限定されるものではなく、データフィールドの変調方式、符号化方式、符号化率、シンボル数、情報ビット数などの情報やこれらの組み合わせでもかまわない。その場合、通知したい情報のパターン数に応じて式（１）の数だけサブキャリアのグループ分けを行い、実際に通知する情報に応じて、既知シンボルにおける隣接する２つのサブキャリアのどちらか一方の位相をグループ毎に反転・非反転制御すればよい。
【００９８】
（第４の実施形態）  
次に、図９を参照して第４の実施形態に係る伝送路推定用の既知シンボルの送信方法について説明する。図９（ａ）（ｂ）（ｃ）は、既知シンボルを同時に送信するアンテナの数が「１」の場合、「２」の場合及び「３」の場合のプリアンブルを含む無線フレームの構造を示している。
【００９９】
図９（ａ）（アンテナ数Ｍが「１」）の場合は、アンテナ１から送信される１つの既知シンボルにおいて情報が存在するサブキャリアの番号、そのサブキャリアのグループ番号、そのサブキャリアに乗せている情報値の組み合わせは以下の通りとなる。
【０１００】
アンテナ１の既知シンボル：サブキャリア番号｛０，１，２，３，４，５，６，７，８，９，１０，１１｝、グループ番号｛１，１，１，１，１，１，２，２，２，２，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【０１０１】
図９（ｂ）（アンテナ数Ｍが「２」）の場合は、アンテナ１、２からそれぞれ送信される既知シンボルにおいて情報が存在するサブキャリアの番号、そのサブキャリアのグループ番号、そのサブキャリアに乗せている情報値の組み合わせは以下の通りとなる。
【０１０２】
アンテナ１の既知シンボル：サブキャリア番号｛０，１，２，６，７，８｝、グループ番号｛１，１，１，２，２，２｝、情報値｛−Ｌ１（０），Ｌ１（１），−Ｌ１（２），Ｌ１（６），Ｌ１（７），Ｌ１（８）｝。
【０１０３】
アンテナ２の既知シンボル：サブキャリア番号｛３，４，５，９，１０，１１｝、グループ番号｛１，１，１，２，２，２｝、情報値｛Ｌ１（３），−Ｌ１（４），Ｌ１（５），Ｌ１（９），Ｌ１（１０），Ｌ１（１１）｝。
【０１０４】
図９（ｃ）（アンテナ数Ｍが「３」）の場合は、アンテナ１、２、３からそれぞれ送信される既知シンボルにおいて情報が存在するサブキャリアの番号、そのサブキャリアのグループ番号、そのサブキャリアに乗せている情報値の組み合わせは以下の通りとなる。
【０１０５】
アンテナ１の既知シンボル：サブキャリア番号｛０，１，２，９，１０，１１｝、グループ番号｛１，１，１，２，２，２｝、情報値｛Ｌ１（０），Ｌ１（１），Ｌ１（２），Ｌ１（９），−Ｌ１（１０），Ｌ１（１１）｝。
【０１０６】
アンテナ２の既知シンボル：サブキャリア番号｛３，４，５｝、グループ番号｛１，１，１｝、情報値｛Ｌ１（３），Ｌ１（４），Ｌ１（５）｝。
【０１０７】
アンテナ３の既知シンボル：サブキャリア番号｛６，７，８｝、グループ番号｛２，２，２｝、情報値｛−Ｌ１（６），Ｌ１（７），−Ｌ１（８）｝。
【０１０８】
なお、図９（ａ）（ｂ）（ｃ）においては、プリアンブルの構造は時間的に表されているが、便宜上、ロングプリアンブルＬＰについては、情報が存在するサブキャリアを斜線とドットで表している。図中のドットで示したサブキャリアは位相を反転させた情報が挿入されているサブキャリアを表しており、各サブキャリアの上部にそのサブキャリアが属するグループ番号を記している。
【０１０９】
図９（ａ）（ｂ）（ｃ）に示すように、前述の第１〜３の実施形態と同様、第４の実施形態に係る既知シンボルは、受信側に通知したい情報（例えば送信アンテナ数）に応じて、既知シンボルにおける隣接する２つのサブキャリアのどちらか一方の位相をそのサブキャリアが属するグループ毎に反転・非反転制御されていることを特徴とする。そのため、前述の第１〜３の実施形態と同様、図３の受信機を用いることで送信アンテナ数を推定することが可能である。
【０１１０】
なお、図９（ａ）（ｂ）（ｃ）では送信アンテナの最大数Ｍｍａｘが「３」である場合の例を示したが、Ｍｍａｘが「４」以上場合においても拡張可能である。この場合、送信アンテナ数のパターンはＭｍａｘ個になるため、式（１）にＮｐ＝Ｍｍａｘを代入した式を満たすグループ数Ｎｇだけサブキャリアのグループ分けを行い、実際に送信するアンテナ数に応じて、既知シンボルにおける隣接する２つのサブキャリアのどちらか一方の位相をグループ毎に反転・非反転制御すればよい。
【０１１１】
また、図９（ａ）（ｂ）（ｃ）では受信側に通知する既知情報が送信アンテナ数である場合の例を示したが、この通知する情報は送信アンテナ数に限定されるものではなく、データフィールドの変調方式、符号化方式、符号化率、シンボル数、情報ビット数などの情報やこれらの組み合わせでもかまわない。その場合、通知したい情報のパターン数に応じて式（１）の数だけサブキャリアのグループ分けを行い、実際に通知する情報に応じて、既知シンボルにおける隣接する２つのサブキャリアのどちらか一方の位相をグループ毎に反転制御すればよい。
【０１１２】
（第５の実施形態）  
次に、図１０を参照して第５の実施形態に係る伝送路推定用の既知シンボルの送信方法について説明する。図１０（ａ）（ｂ）（ｃ）は、既知シンボルを同時に送信するアンテナの数が「１」の場合、「２」の場合及び「３」の場合のプリアンブルを含む無線フレームの構造を示している。
【０１１３】
図１０（ａ）（アンテナ数Ｍが「１」）の場合は、アンテナ１から送信される１つの既知シンボルにおいて情報が存在するサブキャリアの番号、そのサブキャリアのグループ番号、そのサブキャリアに乗せている情報値の組み合わせは以下の通りとなる。
【０１１４】
アンテナ１の既知シンボル：サブキャリア番号｛０，１，２，３，４，５，６，７，８，９，１０，１１｝、グループ番号｛１，１，１，１，１，１，２，２，２，２，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【０１１５】
図１０（ｂ）（アンテナ数Ｍが「２」）の場合は、アンテナ１、２からそれぞれ送信される既知シンボルにおいて情報が存在するサブキャリアの番号、そのサブキャリアのグループ番号、そのサブキャリアに乗せている情報値の組み合わせは以下の通りとなる。
【０１１６】
アンテナ１の既知シンボル：サブキャリア番号｛０，２，４，６，８，１０｝、グループ番号｛１，１，１，２，２，２｝、情報値｛Ｌ１（０），−Ｌ１（２），Ｌ１（４），Ｌ１（６），Ｌ１（８），Ｌ１（１０）｝。
【０１１７】
アンテナ２の既知シンボル：サブキャリア番号｛１，３，５，７，９，１１｝、グループ番号｛１，１，１，２，２，２｝、情報値｛Ｌ１（１），−Ｌ１（３），Ｌ１（５），Ｌ１（７），Ｌ１（９），Ｌ１（１１）｝。
【０１１８】
図１０（ｃ）（アンテナ数Ｍが「３」）の場合は、アンテナ１、２、３からそれぞれ送信される既知シンボルにおいて情報が存在するサブキャリアの番号、そのサブキャリアのグループ番号、そのサブキャリアに乗せている情報値の組み合わせは以下の通りとなる。
【０１１９】
アンテナ１の既知シンボル：サブキャリア番号｛０，３，６，９｝、グループ番号｛１，１，２，２｝、情報値｛Ｌ１（０），Ｌ１（３），−Ｌ１（６），Ｌ１（９）｝。
【０１２０】
アンテナ２の既知シンボル：サブキャリア番号｛１，４，７，１０｝、グループ番号｛１，１，２，２｝、情報値｛Ｌ１（１），Ｌ１（４），−Ｌ１（７），Ｌ１（１０）｝。
【０１２１】
アンテナ３の既知シンボル：サブキャリア番号｛２，５，８，１１｝、グループ番号｛１，１，２，２｝、情報値｛Ｌ１（２），Ｌ１（５），−Ｌ１（８），Ｌ１（１１）｝。
【０１２２】
なお、図１０（ａ）（ｂ）（ｃ）においては、プリアンブルの構造は時間的に表されているが、便宜上、ロングプリアンブルＬＰについては、情報が存在するサブキャリアを斜線とドットで表している。図中のドットで示したサブキャリアは位相を反転させた情報が挿入されているサブキャリアを表しており、各サブキャリアの上部にそのサブキャリアが属するグループ番号を記している。
【０１２３】
図１０（ａ）（ｂ）（ｃ）に示すように、第５の実施形態に係る既知シンボルは、受信側に通知したい情報（例えば送信アンテナ数）に応じて、既知シンボルにおいて同一アンテナから送信される近隣の２つのサブキャリアのどちらか一方の位相をそのサブキャリアが属するグループ毎に反転・非反転制御されていることを特徴とする。このような構成を用いた場合においても、近隣のサブキャリア間で伝送路の相関が高い場合には、前述の第１〜４の実施形態と同様、図３の受信機を用いることで送信アンテナ数を推定することが可能である。
【０１２４】
なお、図１０（ａ）（ｂ）（ｃ）では送信アンテナの最大数Ｍｍａｘが「３」である場合の例を示したが、Ｍｍａｘが「４」以上場合においても拡張可能である。この場合、送信アンテナ数のパターンはＭｍａｘ個になるため、式（１）にＮｐ＝Ｍｍａｘを代入した式を満たすグループ数Ｎｇだけサブキャリアのグループ分けを行い、実際に送信するアンテナ数に応じて、既知シンボルにおいて同一アンテナから送信される近隣の２つのサブキャリアのどちらか一方の位相をグループ毎に反転制御すればよい。
【０１２５】
また、図１０（ａ）（ｂ）（ｃ）では受信側に通知する既知情報が送信アンテナ数である場合の例を示したが、この通知する情報は送信アンテナ数に限定されるものではなく、データフィールドの変調方式、符号化方式、符号化率、シンボル数、情報ビット数などの情報やこれらの組み合わせでもかまわない。その場合、通知したい情報のパターン数に応じて式（１）の数だけサブキャリアのグループ分けを行い、実際に通知する情報に応じて、既知シンボルにおいて同一アンテナから送信される近隣の２つのサブキャリアのどちらか一方の位相をグループ毎に反転制御すればよい。
【０１２６】
（第６の実施形態）  
次に、図１１、図１２を参照して第６の実施形態に係る伝送路推定用の既知シンボルの送信方法について説明する。第１〜第５の実施形態では、１つの既知シンボルを用いて送信アンテナ数などの情報通知を行っていたが、第６の実施形態では複数の既知シンボルを用いて情報の通知を行う。図１１（ａ）（ｂ）（ｃ）は、既知シンボルを同時に送信するアンテナの数が「１」の場合、「２」の場合、「３」の場合のプリアンブルを含む無線フレームの構造を示し、図１２（ａ）（ｂ）は、既知シンボルを同時に送信するアンテナの数が「４」の場合及び「５」の場合のプリアンブルを含む無線フレームの構造を示している。
【０１２７】
図１１（ａ）（アンテナ数Ｍが「１」）の場合は、アンテナ１から送信される１つの既知シンボルにおいて情報が存在するサブキャリアの番号、そのサブキャリアのグループ番号、そのサブキャリアに乗せている情報値の組み合わせは以下の通りとなる。
【０１２８】
アンテナ１の既知シンボルＬＰ１：サブキャリア番号｛０，１，２，３，４，５，６，７，８，９，１０，１１｝、グループ番号｛１，１，１，１，１，１，２，２，２，２，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【０１２９】
アンテナ１の既知シンボルＬＰ２：サブキャリア番号｛０，１，２，３，４，５，６，７，８，９，１０，１１｝、グループ番号｛１，１，１，１，１，１，２，２，２，２，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【０１３０】
図１１（ｂ）（アンテナ数Ｍが「２」）の場合は、アンテナ１、２からそれぞれ送信される既知シンボルにおいて情報が存在するサブキャリアの番号、そのサブキャリアのグループ番号、そのサブキャリアに乗せている情報値の組み合わせは以下の通りとなる。
【０１３１】
アンテナ１の既知シンボルＬＰ１：サブキャリア番号｛０，１，４，５，８，９｝、グループ番号｛１，１，１，１，２，２｝、情報値｛−Ｌ１（０），Ｌ１（１），−Ｌ１（４），Ｌ１（５），Ｌ１（８），Ｌ１（９）｝。
【０１３２】
アンテナ１の既知シンボルＬＰ２：サブキャリア番号｛２，３，６，７，１０，１１｝、グループ番号｛１，１，２，２，２，２｝、情報値｛Ｌ１（２），Ｌ１（３），Ｌ１（６），Ｌ１（７），Ｌ１（１０），Ｌ１（１１）｝。
【０１３３】
アンテナ２の既知シンボルＬＰ１：サブキャリア番号｛２，３，６，７，１０，１１｝、グループ番号｛１，１，２，２，２，２｝、情報値｛−Ｌ１（２），Ｌ１（３），Ｌ１（６），Ｌ１（７），Ｌ１（１０），Ｌ１（１１）｝。
【０１３４】
アンテナ２の既知シンボルＬＰ２：サブキャリア番号｛０，１，４，５，８，９｝、グループ番号｛１，１，１，１，２，２｝、情報値｛Ｌ１（０），Ｌ１（１），Ｌ１（４），Ｌ１（５），Ｌ１（８），Ｌ１（９）｝。
【０１３５】
図１１（ｃ）（アンテナ数Ｍが「３」）の場合は、アンテナ１、２、３からそれぞれ送信される既知シンボルにおいて情報が存在するサブキャリアの番号、そのサブキャリアのグループ番号、そのサブキャリアに乗せている情報値の組み合わせは以下の通りとなる。
【０１３６】
アンテナ１の既知シンボルＬＰ１：サブキャリア番号｛０，１，６，７｝、グループ番号｛１，１，２，２｝、情報値｛−Ｌ１（０），Ｌ１（１），Ｌ１（６），Ｌ１（７）｝。
【０１３７】
アンテナ１の既知シンボルＬＰ２：サブキャリア番号｛２，３，８，９｝、グループ番号｛１，１，２，２｝、情報値｛−Ｌ１（２），Ｌ１（３），Ｌ１（８），Ｌ１（９）｝。
【０１３８】
アンテナ２の既知シンボルＬＰ１：サブキャリア番号｛２，３，８，９｝、グループ番号｛１，１，２，２｝、情報値｛−Ｌ１（２），Ｌ１（３），Ｌ１（８），Ｌ１（９）｝。
【０１３９】
アンテナ２の既知シンボルＬＰ２：サブキャリア番号｛４，５，１０，１１｝、グループ番号｛１，１，２，２｝、情報値｛−Ｌ１（４），Ｌ１（５），Ｌ１（１０），Ｌ１（１１）｝。
【０１４０】
アンテナ３の既知シンボルＬＰ１：サブキャリア番号｛４，５，１０，１１｝、グループ番号｛１，１，２，２｝、情報値｛−Ｌ１（４），Ｌ１（５），Ｌ１（１０），Ｌ１（１１）｝。
【０１４１】
アンテナ３の既知シンボルＬＰ２：サブキャリア番号｛０，１，６，７｝、グループ番号｛１，１，２，２｝、情報値｛−Ｌ１（０），Ｌ１（１），Ｌ１（６），Ｌ１（７）｝。
【０１４２】
図１２（ａ）（アンテナ数Ｍが「４」）の場合は、アンテナ１、２、３、４からそれぞれ送信される既知シンボルにおいて情報が存在するサブキャリアの番号、そのサブキャリアのグループ番号、そのサブキャリアに乗せている情報値の組み合わせは以下の通りとなる。
【０１４３】
アンテナ１の既知シンボルＬＰ１：サブキャリア番号｛０，１，８，９｝、グループ番号｛１，１，２，２｝、情報値｛Ｌ１（０），Ｌ１（１），Ｌ１（８），Ｌ１（９）｝。
【０１４４】
アンテナ１の既知シンボルＬＰ２：サブキャリア番号｛４，５｝、グループ番号｛１，１｝、情報値｛−Ｌ１（４），Ｌ１（５）｝。
【０１４５】
アンテナ２の既知シンボルＬＰ１：サブキャリア番号｛２，３，１０，１１｝、グループ番号｛１，１，２，２｝、情報値｛Ｌ１（２），Ｌ１（３），Ｌ１（１０），Ｌ１（１１）｝。
【０１４６】
アンテナ２の既知シンボルＬＰ２：サブキャリア番号｛６，７｝、グループ番号｛２，２｝、情報値｛Ｌ１（６），Ｌ１（７）｝。
【０１４７】
アンテナ３の既知シンボルＬＰ１：サブキャリア番号｛４，５｝、グループ番号｛１，１｝、情報値｛Ｌ１（４），Ｌ１（５）｝。
【０１４８】
アンテナ３の既知シンボルＬＰ２：サブキャリア番号｛０，１，８，９｝、グループ番号｛１，１，２，２｝、情報値｛−Ｌ１（０），Ｌ１（１），Ｌ１（８），Ｌ１（９）｝。
【０１４９】
アンテナ４の既知シンボルＬＰ１：サブキャリア番号｛６，７｝、グループ番号｛２，２｝、情報値｛Ｌ１（６），Ｌ１（７）｝。
【０１５０】
アンテナ４の既知シンボルＬＰ２：サブキャリア番号｛２，３，１０，１１｝、グループ番号｛１，１，２，２｝、情報値｛−Ｌ１（２），Ｌ１（３），Ｌ１（１０），Ｌ１（１１）｝。
【０１５１】
図１２（ｂ）（アンテナ数Ｍが「５」）の場合は、アンテナ１、２、３、４、５からそれぞれ送信される既知シンボルにおいて情報が存在するサブキャリアの番号、そのサブキャリアのグループ番号、そのサブキャリアに乗せている情報値の組み合わせは以下の通りとなる。
【０１５２】
アンテナ１の既知シンボルＬＰ１：サブキャリア番号｛０，１，１０，１１｝、グループ番号｛１，１，２，２｝、情報値｛Ｌ１（０），Ｌ１（１），−Ｌ１（１０），Ｌ１（１１）｝。
【０１５３】
アンテナ１の既知シンボルＬＰ２：サブキャリア番号｛４，５｝、グループ番号｛１，１｝、情報値｛−Ｌ１（４），Ｌ１（５）｝。
【０１５４】
アンテナ２の既知シンボルＬＰ１：サブキャリア番号｛２，３｝、グループ番号｛１，１｝、情報値｛Ｌ１（２），Ｌ１（３）｝。
【０１５５】
アンテナ２の既知シンボルＬＰ２：サブキャリア番号｛６，７｝、グループ番号｛１，１｝、情報値｛Ｌ１（６），Ｌ１（７）｝。
【０１５６】
アンテナ３の既知シンボルＬＰ１：サブキャリア番号｛４，５｝、グループ番号｛１，１｝、情報値｛Ｌ１（４），Ｌ１（５）｝。
【０１５７】
アンテナ３の既知シンボルＬＰ２：サブキャリア番号｛８，９｝、グループ番号｛１，１｝、情報値｛Ｌ１（８），Ｌ１（９）｝。
【０１５８】
アンテナ４の既知シンボルＬＰ１：サブキャリア番号｛６，７｝、グループ番号｛１，１｝、情報値｛−Ｌ１（６），Ｌ１（７）｝。
【０１５９】
アンテナ４の既知シンボルＬＰ２：サブキャリア番号｛０，１，１０，１１｝、グループ番号｛１，１，２，２｝、情報値｛−Ｌ１（０），Ｌ１（１），Ｌ１（１０），Ｌ１（１１）｝。
【０１６０】
アンテナ５の既知シンボルＬＰ１：サブキャリア番号｛８，９｝、グループ番号｛１，１｝、情報値｛−Ｌ１（８），Ｌ１（９）｝。
【０１６１】
アンテナ５の既知シンボルＬＰ２：サブキャリア番号｛２，３｝、グループ番号｛１，１｝、情報値｛−Ｌ１（２），Ｌ１（３）｝。
【０１６２】
なお、図１１（ａ）（ｂ）（ｃ）、図１２（ａ）（ｂ）においては、プリアンブルの構造は時間的に表されているが、便宜上、ロングプリアンブルＬＰ１、ＬＰ２については、情報が存在するサブキャリアを斜線とドットで表している。図中のドットで示したサブキャリアは位相を反転させた情報が挿入されているサブキャリアを表しており、各サブキャリアの上部にそのサブキャリアが属するグループ番号を記している。
【０１６３】
図１１（ａ）（ｂ）（ｃ）、図１２（ａ）（ｂ）に示すように、第６の実施形態に係る既知シンボルは、受信側に通知したい情報（例えば送信アンテナ数）に応じて、各既知シンボルにおける隣接する２つのサブキャリアのどちらか一方の位相をそのサブキャリアが属する既知シンボル番号とグループ毎に反転・非反転制御されていることを特徴とする。
【０１６４】
図１３は、第６の実施形態に係る受信機の構成例を示したものである。なお、図１３において、図３と同一部分には同一符号を付している。図１３において、図３と異なる部分は、図１３では、図３の受信機の構成にさらにメモリ４２が追加されていることである。
【０１６５】
図１３において、送信機から送信されるＲＦ（Radio Frequency）帯のＯＦＤＭ信号は複数の受信アンテナ３０−１〜３０−Ｍにより受信される。受信アンテナ３０−１〜３０−ＭからのＯＦＤＭ受信信号は、受信回路３１に入力される。受信アンテナ３０−１〜３０−Ｍから入力されるＯＦＤＭ信号は、受信回路３１において、それぞれ低雑音増幅器（ＬＮＡ）により増幅された後、周波数変換器によりベースバンド帯に周波数変換（ダウンコンバート）され、さらにＡ／Ｄ変換器によってディジタル信号に変換され、さらにガードインターバル（ＧＩ）が除去される。
【０１６６】
受信回路３１からの出力信号は、高速フーリエ変換部（ＦＦＴ）３２−１〜３２−Ｍに入力されて、時間波形の信号が周波数波形の信号、すなわちサブキャリアごとの波形に変換される。ＦＦＴユニット３２−１〜３２−Ｍからの出力信号のうち、データシンボルの区間の信号はＭＩＭＯ信号処理器４１に入力される。
【０１６７】
一方、ＦＦＴユニット３２−１〜３２−Ｍからの出力信号のうち、プリアンブル、特に既知シンボルの区間の信号はシンボル単位で除算器３３−１〜３３−Ｍに入力される。除算器に入力されたサブキャリアごとの波形はＲＯＭ３４に格納された既知シンボルで除算することにより、伝送路特性の推定値が得らえる。サブキャリア毎の伝送路特性の推定値は、メモリ３９−１〜３９−Ｍへ格納されるとともに、相関器３５−１〜３５−Ｍへ入力される。ＲＯＭ３４に格納された既知シンボルは図１１（ａ）（アンテナ数Ｍが「１」）の場合の周波数軸上の既知シンボルと同一のものである。
【０１６８】
相関器３５−１〜３５−Ｍではグループ情報発生器３６からのサブキャリアのグループ情報を基に、伝送路特性の推定値について、各既知シンボルにおけるグループ毎に相関値を計算し、各既知シンボルのグループ毎の相関値を判定器３７に入力する。グループ情報発生器３６は図１のグループ情報発生器１７と同様の構成となっており、各サブキャリアが属するグループ情報を相関器３５−１〜３５−Ｍに出力している。
【０１６９】
判定器３７は、入力された相関値が正値であるか、もしくは負値であるかの判定を各既知シンボルのグループ毎に行い、その結果をメモリ４２に格納する。送信アンテナ数判定部３８は、メモリ４２にすべての既知シンボルに対する各グループの相関値が格納された時点で、その相関値の組み合わせを基に送信アンテナ数を決定する。
【０１７０】
送信アンテナ数判定部３８は、図１４に示すような正負判定後の各既知シンボルにおける各グループの相関値の組み合わせと送信アンテナ数の対応表を保持しており、判定器３７から入力された判定後の各グループの相関値とその対応表を基に送信アンテナ数を決定し、ＭＩＭＯ受信部４０に出力する。ＭＩＭＯ信号処理部４０では、ＦＦＴユニット３２−１〜３２−Ｍからのデータシンボル区間の信号に対して、メモリ３９−１〜３９−Ｍからの伝送路推定値と送信アンテナ数判定部３８からの送信アンテナ数に従って例えば最尤推定のようなＭＩＭＯ信号受信処理がなされる。ＭＩＭＯ信号受信処理後の信号に対してチャネル復号が行われ、これによって送信されてきたデータ４１が再生される。
【０１７１】
このように上記第６の実施形態によれば、連続して複数の既知シンボルを送信するため、既知シンボルが増えることによる効率の低下は招くが、各既知シンボルにおけるグループ数を増加させることなく送信側に通知できる情報パターン数を増やすことができる。
【０１７２】
（第７の実施形態）  
次に、図１５を参照して第７の実施形態に係る伝送路推定用の既知シンボルの送信方法について説明する。第７の実施形態は第６の実施形態と同様、複数の既知シンボルを用いて情報の通知を行う。図１５（ａ）（ｂ）（ｃ）は、既知シンボルを同時に送信するアンテナの数が「１」の場合、「２」の場合、及び「３」の場合のプリアンブルを含む無線フレームの構造を示している。
【０１７３】
例えば、図１５（ａ）（アンテナ数Ｍが「１」）の場合は、アンテナ１から送信される１つの既知シンボルにおいて情報が存在するサブキャリアの番号、そのサブキャリアのグループ番号、そのサブキャリアに乗せている情報値の組み合わせは以下の通りとなる。
【０１７４】
アンテナ１の既知シンボルＬＰ１とＬＰ２：サブキャリア番号｛０，１，２，３，４，５，６，７，８，９，１０，１１｝、グループ番号｛１，１，１，１，１，１，２，２，２，２，２，２｝、情報値｛Ｌ１（０），Ｌ１（１），Ｌ１（２），Ｌ１（３），Ｌ１（４），Ｌ１（５），Ｌ１（６），Ｌ１（７），Ｌ１（８），Ｌ１（９），Ｌ１（１０），Ｌ１（１１）｝。
【０１７５】
図１５（ｂ）（アンテナ数Ｍが「２」）の場合は、アンテナ１、２からそれぞれ送信される既知シンボルにおいて情報が存在するサブキャリアの番号、そのサブキャリアのグループ番号、そのサブキャリアに乗せている情報値の組み合わせは以下の通りとなる。
【０１７６】
アンテナ１の既知シンボルＬＰ１とＬＰ２：サブキャリア番号｛０，１，４，５，８，９｝、グループ番号｛１，１，１，１，２，２｝、情報値｛−Ｌ１（０），Ｌ１（１），−Ｌ１（４），Ｌ１（５），Ｌ１（８），Ｌ１（９）｝。
【０１７７】
アンテナ２の既知シンボルＬＰ１：サブキャリア番号｛２，３，６，７，１０，１１｝、グループ番号｛１，１，２，２，２，２｝、情報値｛−Ｌ１（２），Ｌ１（３），Ｌ１（６），Ｌ１（７），Ｌ１（１０），Ｌ１（１１）｝。
【０１７８】
図１５（ｃ）（アンテナ数Ｍが「３」）の場合は、アンテナ１、２、３からそれぞれ送信される既知シンボルにおいて情報が存在するサブキャリアの番号、そのサブキャリアのグループ番号、そのサブキャリアに乗せている情報値の組み合わせは以下の通りとなる。
【０１７９】
アンテナ１の既知シンボルＬＰ１とＬＰ２：サブキャリア番号｛０，１，６，７｝、グループ番号｛１，１，２，２｝、情報値｛Ｌ１（０），Ｌ１（１），−Ｌ１（６），Ｌ１（７）｝。
【０１８０】
アンテナ２の既知シンボルＬＰ１とＬＰ２：サブキャリア番号｛２，３，８，９｝、グループ番号｛１，１，２，２｝、情報値｛Ｌ１（２），Ｌ１（３），−Ｌ１（８），Ｌ１（９）｝。
【０１８１】
アンテナ３の既知シンボルＬＰ１とＬＰ２：サブキャリア番号｛４，５，１０，１１｝、グループ番号｛１，１，２，２｝、情報値｛Ｌ１（４），Ｌ１（５），−Ｌ１（１０），Ｌ１（１１）｝。
【０１８２】
なお、図１５（ａ）（ｂ）（ｃ）においては、プリアンブルの構造は時間的に表されているが、便宜上、ロングプリアンブルＬＰについては、情報が存在するサブキャリアを斜線とドットで表している。図中のドットで示したサブキャリアは位相を反転させた情報が挿入されているサブキャリアを表しており、各サブキャリアの上部にそのサブキャリアが属するグループ番号を記している。
【０１８３】
図１５（ａ）（ｂ）（ｃ）に示すように、第７の実施形態に係る既知シンボルは、受信側に通知したい情報（例えば送信アンテナ数）に応じて、既知シンボルにおける隣接する２つのサブキャリアのどちらか一方の位相をそのサブキャリアが属するグループ毎に反転・非反転制御されており、同一の複数の既知シンボルが連続して送信されることを特徴とする。
【０１８４】
第７の実施形態に係る受信機では、図１６に示すような構成を有する。なお、図１６において、図３と同一部分には同一符号を付している。図１６において、図３と異なる部分は、図１６では図３の受信機の構成に、さらに加算平均器４３−１〜４３−Ｍが追加されている。
【０１８５】
図１６において、送信機から送信されるＲＦ（Radio Frequency）帯のＯＦＤＭ信号は複数の受信アンテナ３０−１〜３０−Ｍにより受信される。受信アンテナ３０−１〜３０−ＭからのＯＦＤＭ受信信号は、受信回路３１に入力される。受信アンテナ３０−１〜３０−Ｍから入力されるＯＦＤＭ信号は、受信回路３１において、それぞれ低雑音増幅器（ＬＮＡ）により増幅された後、周波数変換器によりベースバンド帯に周波数変換（ダウンコンバート）され、さらにＡ／Ｄ変換器によってディジタル信号に変換され、さらにガードインターバル（ＧＩ）が除去される。
【０１８６】
ＧＩ除去後の出力信号のうち、既知シンボル区間の信号は、加算平均器４３−１〜４３−Ｍに入力される。加算平均器４３−１〜４３−Ｍは、既知シンボルが入力される度に、当該既知シンボルとそれまでに入力された既知シンボルとの加算平均を求める。全ての既知シンボルとの加算平均を行った後、加算平均後の既知シンボルが高速フーリエ変換（ＦＦＴ）ユニット３２−１〜３２−Ｍに入力される。
【０１８７】
なお、データシンボル区間の信号に関しては、この加算平均器４３−１〜４３−Ｍはバイパスされ、高速フーリエ変換（ＦＦＴ）ユニット３２−１〜３２−Ｍに入力される。
【０１８８】
高速フーリエ変換（ＦＦＴ）ユニット３２−１〜３２−Ｍは、時間波形の信号を周波数波形の信号、すなわちサブキャリアごとの波形に変換する。ＦＦＴユニット３２−１〜３２−Ｍからの出力信号のうち、データシンボルの区間の信号は、ＭＩＭＯ信号処理部４０に入力される。
【０１８９】
受信回路３１からの出力信号は、高速フーリエ変換部（ＦＦＴ）３２−１〜３２−Ｍに入力されることにより、時間波形の信号が周波数波形の信号、すなわちサブキャリアごとの波形に変換される。ＦＦＴユニット３２−１〜３２−Ｍからの出力信号のうち、データシンボルの区間の信号はＭＩＭＯ信号処理器４０に入力される。
【０１９０】
一方、ＦＦＴユニット３２−１〜３２−Ｍからの出力信号のうち、プリアンブル、特に、既知シンボルの区間の信号は除算器３３−１〜３３−Ｍに入力される。除算器に入力されたサブキャリアごとの波形をＲＯＭ３４に格納された既知シンボルで除算することにより、伝送路特性の推定値を得る。サブキャリア毎の伝送路特性の推定値はメモリ３９−１〜３９−Ｍへ格納されるとともに、相関器３５−１〜３５−Ｍへ入力される。ＲＯＭ３４に格納された既知シンボルは図１５（ａ）（アンテナ数Ｍが「１」）の場合の周波数軸上の既知シンボルと同一のものである。
【０１９１】
相関器３５−１〜３５−Ｍではグループ情報発生器３６からのサブキャリアのグループ情報を基に、伝送路特性の推定値についてグループ毎に相関値を計算し、そのグループ毎の相関値を判定器３７に入力する。グループ情報発生器３６は図１のグループ情報発生器１７と同様の構成となっており、各サブキャリアが属するグループ情報を相関器３５−１〜３５−Ｍに出力している。
【０１９２】
判定器３７では入力された相関値が正値であるか、もしくは負値であるかの判定を各グループ毎に行い、その結果を送信アンテナ数判定部３８に出力する。送信アンテナ数判定部３８では各グループの相関値の組み合わせを基に送信アンテナ数を決定し、送信アンテナ数をＭＩＭＯ受信部４０にそれぞれ出力する。
【０１９３】
ＭＩＭＯ信号処理部４０では、ＦＦＴユニット３２−１〜３２−Ｍからのデータシンボル区間の信号に対して、メモリ３９−１〜３９−Ｍからの伝送路推定値と送信アンテナ数判定部３８からの送信アンテナ数に従って例えば最尤推定のようなＭＩＭＯ信号受信処理がなされる。ＭＩＭＯ信号受信処理後の信号に対してチャネル復号が行われ、これによって送信されてきたデータ４１が再生される。
【０１９４】
このように上記第７の実施形態によれば、連続して既知シンボルを送信するため、既知シンボルが増えることによる効率の低下は招くが、受信側では上述したように同じパターンの既知シンボルを累積加算した結果を用いて、伝送路特性の推定および送信アンテナ数を推定するので、雑音の影響を緩和でき、通知情報の推定精度を改善することができる。
【０１９５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１９６】
【図１】第１の実施形態に係る無線通信装置（送信機）の構成例を示す図。
【図２】第１の実施形態に係る伝送路推定用の既知シンボルの送信方法を説明するため図。
【図３】第１の実施形態に係る無線通信装置（受信機）の構成例を示す図。
【図４】図３の受信機の送信アンテナ数推定処理動作を説明するためのフローチャート。
【図５】グループ情報発生器で記憶されているサブキャリアのグループ情報を記憶したテーブルの一例を示した図。
【図６】送信アンテナ数判定部で記憶されている、各グループの相関値の組み合わせと送信アンテナ数の対応表の一例を示した図。
【図７】第２の実施形態に係る伝送路推定用の既知シンボルの送信方法を説明するため図。
【図８】第３の実施形態に係る伝送路推定用の既知シンボルの送信方法を説明するため図。
【図９】第４の実施形態に係る伝送路推定用の既知シンボルの送信方法を説明するため図。
【図１０】第５の実施形態に係る伝送路推定用の既知シンボルの送信方法を説明するため図。
【図１１】第６の実施形態に係る伝送路推定用の既知シンボルの送信方法を説明するため図。
【図１２】第６の実施形態に係る伝送路推定用の既知シンボルの送信方法を説明するため図。
【図１３】第６の実施形態に係る無線通信装置（受信機）の構成例を示した図。
【図１４】送信アンテナ数判定部で記憶されている、各グループの相関値の組み合わせと送信アンテナ数の対応表の他の例を示した図。
【図１５】第７の実施形態に係る伝送路推定用の既知シンボルの送信方法を説明するため図。
【図１６】第７の実施形態に係る無線通信装置（受信機）の構成例を示した図。
【符号の説明】
【０１９７】
１１…符号化器、１２…直並列変換器（Ｓ／Ｐ）、１３−１〜１３−Ｍ…変調器、１４−１〜１４−Ｍ…直並列変換器（Ｓ／Ｐ）、１５…既知シンボルパターン発生器、１６…セレクタ、１７…グループ情報発生器、１８−１〜１８−Ｍ…位相制御器、１９−１〜１９−Ｍ…逆高速フーリエ変換部（ＩＦＦＴ）、２０…送信回路、２１−１〜２１−Ｍ…送信アンテナ。
３０−１〜３０−Ｍ…受信アンテナ、３１…受信回路、３２−１〜３２−Ｍ…高速フーリエ変換部（ＦＦＴ）、３３−１〜３３−Ｍ…除算器、３４…ＲＯＭ、３５−１〜３５−Ｍ…相関器、３６…グループ情報発生器、３７…判定器、３８…送信アンテナ数判定部、３９−１〜３９−Ｍ…メモリ、４０…ＭＩＭＯ受信部。４２…メモリ、４３−１〜４３−Ｍ…加算平均器。
【図１】
2006014234.tif 000003
【図２】
2006014234.tif 000004
【図３】
2006014234.tif 000005
【図４】
2006014234.tif 000006
【図５】
2006014234.tif 000007
【図６】
2006014234.tif 000008
【図７】
2006014234.tif 000009
【図８】
2006014234.tif 000010
【図９】
2006014234.tif 000011
【図１０】
2006014234.tif 000012
【図１１】
2006014234.tif 000013
【図１２】
2006014234.tif 000014
【図１３】
2006014234.tif 000015
【図１４】
2006014234.tif 000016
【図１５】
2006014234.tif 000017
【図１６】
2006014234.tif 000018